(57)【要約】      （修正有）【課題】一見単なるカバンに吊り下げる装飾品でありながら、キーホルダーと定期等のカードが収納できるバッグチャームを提供する。【解決手段】装飾部の外面にカード収納部を備え、且つ内部にリール式キーホルダーを収納し、該装飾部に、一端に引っ掛け手段を持つ伸縮性の紐を取り付ける。【選択図】図３
0003171704.tif 000002
【実用新案登録請求の範囲】
【請求項１】
一端に引っ掛け手段を持つ伸縮性の紐と、該伸縮性の紐の内、もう一方の端に取り付けられた装飾部とからなり、該装飾部には、外面にカード収納部が備わり、且つ内部にリール式キーホルダーが収納されているバッグチャームにおいて、
該カード収納部は、一方向からカードの出し入れ可能な挿入口を備え、
該リール式キーホルダーは、該装飾部の内部に保持された状態から、該装飾部の開口部よりリールを介して該リール式キーホルダーのリール先に取り付けた鍵が出し入れ可能になっていることを特徴とするバッグチャーム。
【考案の詳細な説明】
【技術分野】
【０００１】
本考案は、カバンに吊り下げる装飾品に関するものである。
【背景技術】
【０００２】
従来より、カバンに吊り下げる装飾品として、ストラップやチェーンに下げ飾りが付いたものが知られている。
【０００３】
そして、相当な長期間に渡ってデザインを楽しむことができるアクセサリーとして、空間部に任意の装飾パーツを入れ替え可能にした、カバン等に吊り下げるアクセサリーの考案が知られている。
【特許文献１】実願２０１０−７７８９号
【考案の開示】
【考案が解決しようとする課題】
【０００４】
しかしながら、前者の考案では、そのデザイン性を重視しているのみで、機能性を重視したものは、開発されていなかった。
【０００５】
本考案は、上記問題を解決するため成されたもので、一見単なるカバンに吊り下げる装飾品でありながら、キーホルダーと定期等のカードが収納できるバッグチャームを提供する。
【課題を解決するための手段】
【０００６】
本考案は、一端に引っ掛け手段を持つ伸縮性の紐と、該伸縮性の紐の内、もう一方の端に取り付けられた装飾部とからなり、該装飾部には、外面にカード収納部が備わり、且つ内部にリール式キーホルダーが収納されているバッグチャームにおいて、該カード収納部は、一方向からカードの出し入れ可能な挿入口を備え、該リール式キーホルダーは、該装飾部の内部に保持された状態から、該装飾部の開口部よりリールを介して該リール式キーホルダーのリール先に取り付けた鍵が出し入れ可能になっていることを特徴とする。
【考案の効果】
【０００７】
本考案によれば、鍵を取り付けても使用時以外は、装飾部内部に収納されており、目立つことなく、また、カード収納部に定期券等頻繁に使用するカードを入れておくことで、ポケットやバッグの中から取り出さなくても、使用を可能とする。
【考案を実施するための最良の形態】
【０００８】
一端に引っ掛け手段を持つ伸縮性の紐と、該伸縮性の紐の内、もう一方の端に取り付けられた装飾部とからなり、該装飾部には、外面にカード収納部が備わり、且つ内部にリール式キーホルダーが収納されているバッグチャームにおいて、該カード収納部は、一方向からカードの出し入れ可能な挿入口を備え、該リール式キーホルダーは、該装飾部の内部に保持された状態から、該装飾部の開口部よりリールを介して該リール式キーホルダーのリール先に取り付けた鍵が出し入れ可能にする。
【実施例】
【０００９】
以下、図面を参照して本考案に係るバックチャームの実施例を説明する。
図１は、本考案の、平面図であり、図２は、本考案の、背面図であり、図３は本考案の、側面の断面図であり、図４は本考案の、内部のリール式キーホルダーが収納された状態を透視した図である。
【００１０】
まず、図２のように任意のキャラクター（クマ）形状のアウトラインを模った２枚の合成皮革の内、一方の外面に、定期券が収納可能な大きさの合成皮革を重ねて、一方向からカードの出し入れ可能な挿入口６を残して、縫合し、カード収納部４を作成する。
【００１１】
このとき、カード収納部４を形成した定期券が収納可能な大きさの合成皮革に予め、開口窓部１１を備えておくと、収納したカードが目視でき、指をカードに当てて、スライドさせると簡単にカードの出し入れが可能となる。
【００１２】
そして、任意のキャラクター（クマ）形状のアウトラインを模った合成皮革を重ねて２層にし、該２層間内にリール式キーホルダー５を収納、固定した状態で、該アウトラインに沿って縫合し、リール式キーホルダー５の先に連結した鍵８がリール７を介して出し入れ可能な開口部１２を残した装飾部３を作成する。
【００１３】
このとき、カード収納部とは反対側の面上に、図１のようにクマの目、鼻、口等を施し、その他の面にも様々な模様、図案を施すことで、任意の装飾部を作成することが出来る。
【００１４】
もっとも、カード収納部４とは反対側の面にあたる部分をぬいぐるみの素材を使用して立体感を出したバッグチャーム１を作成しても構わない。
【００１５】
また、ここで使用するリール式キーホルダー５は、内蔵されたバネによって、引っ張った紐を離すと自動的に巻き戻るものである。
【００１６】
次に、装飾部３の開口部１２を下向きにして、装飾部３の上部に、一端に引っ掛け手段９を持つ伸縮性の紐２のもう一端で連結して本考案のバッグチャーム１を完成させる。
【００１７】
このとき、伸縮性の紐２は、コイル形状のものが望ましいが、特に限定するものではない。
【００１８】
また、連結方法は、リング１０を介して、装飾部３と一端に引っ掛け手段９を持つ伸縮性の紐２のもう一端とを連結する。このように連結することで、引っ掛け９を直接バッグに取り付ける以外にも、バッグの取っ手周りに紐２を回した後、リング１９部分に引っ掛けて使用が出来る。
【００１９】
なお、上記に示した縫合以外でも圧着、接着などの方法により、装飾部３を作成しても構わない。
【００２０】
更に、本実施例で示した素材である合成皮革に限らず、皮地、布地、これらの組み合わせによって、バッグチャームを作成しても構わないし、クマのキャラクター形状に限らず、乗り物、建物、植物、人物等どのようなモチーフを模ったものでも構わない。
【００２１】
こうして完成した、本考案のバッグチャーム１を使用する際は、バッグの取っ手に巻きつけて、引っ掛け部９をリング１０に掛けて下げ飾りとして使用できる。
【００２２】
また、バッグの取っ手等に巻きつけたまま、鍵８の開け閉めの際は、装飾部３の開口部１２より鍵８を引っ張り出し、手を離すと、リール７が自動で巻き戻り、装飾部３内部に収容される。更に、駅の改札を通過する際は、紐２の伸縮性により、装飾部３を読み取り装置に近づけることができる。
【００２３】
このように、好ましい実施例を挙げて本考案を説明したが、本考案はその実施例に限定されるものではなく、本考案の要旨の範囲内で種々に改変できる。
【図面の簡単な説明】
【００２４】
【図１】本考案の、平面図である。
【図２】本考案の、背面図である。
【図３】本考案の、内部のリール式キーホルダーが収納された状態を透視した図である。
【図４】本考案の、側面の断面図である。
【符号の説明】
【００２５】
１  バックチャーム
２  伸縮性の紐
３  装飾部
４  カード収納部
５  リール式キーホルダー
６  挿入口
７  リール
８  鍵
９  引っ掛け手段
１０  リング
１１  開口窓部
１２  開口部
【図１】
0003171704.tif 000003
【図２】
0003171704.tif 000004
【図３】
0003171704.tif 000005
【図４】
0003171704.tif 000006